(57)【特許請求の範囲】
【請求項１】
下部に内向きフランジを有する枠体に四囲を囲まれた矩形板状の枠付き太陽電池モジュールを支持部材上に複数並べて固定するためのものであって、
前記太陽電池モジュールの内向きフランジを上面に載置できるようにリップを上に向けて前記支持部材上に固定されるＣ形鋼材からなる支持レールと、
この支持レールの溝内に固定され、支持レールのウェブに対して垂直に起立する固定ボルトと、これに螺合するナットとを具備するベース部材と、
前記固定ボルトを貫通させる長孔を有し、この長孔の範囲で前記支持レールの溝に沿って待機位置とセット位置との間を往復移動可能に前記ベース部材上に支持され、セット位置において前記ナットの締め付けにより支持レールのリップとの間で前記太陽電池モジュールの内向きフランジを挟んで固定する押圧片を有する押さえ部材と、
前記ベース部材と前記押さえ部材との間に介設され、押さえ部材を弾性的に押し上げることにより、前記リップと前記押圧片との間を開いた解放位置に保持しつつ、押さえ部材を待機位置に保持するばねと、を具備し、
前記ベース部材上の固定ボルトは、前記支持レール上に隣接配置される２つの前記太陽電池モジュールの相互間隔内に配置されるように位置設定され、
前記押さえ部材は、前記支持レールの溝内にあって前記ベース部材に摺動自在に重なるように配置され前記長孔を有するスライド板部と、このスライド板部の可動方向の両端部に位置して前記支持レールの溝外に延出し前記太陽電池モジュールの内向きフランジに係合可能に設けられる第１及び第２の一対の係合部とを具備し、
前記押さえ部材の一対の係合部は、それぞれスライド板部から起立して前記支持レールの溝外へ延出する起立板部と、この起立板部の上端からスライド板部と平行に相対向する方向に延出する前記押圧片と、を具備し、
前記押さえ部材が待機位置にある状態で、一方の前記係合部上に被さるように前記支持レール上に置かれる太陽電池モジュールに対し、押さえ部材をセット位置に移動させて、一方の係合部の前記押圧片を太陽電池モジュールの内向きフランジ上に配置し、前記固定ボルト上のナットを締め付けることにより、支持レールと押圧片との間に内向きフランジを挟持するように構成されることを特徴とする太陽電池モジュールの固定装置。
【請求項２】
前記ばねは、中央の固定部とその両側において同側へ屈折したの脚部とを具備する板ばねからなり、固定部において前記ベース部材の中央部に固定され、ベース部材から立ち上がった両脚部の上面が前記押さえ部材の下面に相対摺動自在に構成されることを特徴とする請求項１に記載の太陽電池モジュールの固定装置。
【請求項３】
前記ベース部材は、前記支持レールのウェブに重なる底板部と、この底板部の両縁から直角に起立して支持レールのフランジに沿う一対の側板部とをさらに具備し、この側板部には、ねじ孔が形成され、このねじ孔に支持レールのフランジを貫通する固定ボルトが螺合されることによって、ベース部材が支持レールに固定されることを特徴とする請求項１又は２に記載の太陽電池モジュールの固定装置。
【請求項４】
前記支持レールのウェブを貫通して前記支持部材に締め付けられる固定ボルトをさらに具備し、
前記ベース部材の底板部が、前記固定ボルトの頭部を回転不可能に保持するボルト保持部をさらに具備することを特徴とする請求項１ないし３のいずれかに記載の太陽電池モジュールの固定装置。
【発明の詳細な説明】
【技術分野】
【０００１】
この発明は、枠体に四囲を囲まれた太陽電池モジュールを建造物等の支持部材上に等間隔に複数並べて取り付ける構造に関するものである。
【背景技術】
【０００２】
枠体に四囲を囲まれた枠付き太陽電池モジュールを屋根上に取り付ける構造の一例が特許文献１に記載されている。この太陽電池モジュールの枠体は、下部に内向きのフランジを有すると共に、外側に長手方向の全体にわたる係合溝部を有する。係合溝部は、枠体の外方に水平に延出して上方に向かって直角に屈曲されて上方に開口する。屋根上に固定される平行一対の横桟の上に、太陽電池モジュールが載せられる。隣接する太陽電池モジュールの枠体間にカバーが介設され、カバーの両縁が、両側に隣接する太陽電池モジュールの枠体の係合溝部に掛けられる。モジュール固定ボルトは、下端に平板部を有し、この平板部が横桟に係合し、上部がカバーを貫通して上方へ突出する。ボルトに、ナットが螺合され、ボルトの平板部とカバーとの間で枠体を挟み込み、太陽電池モジュールが横桟上に固定される。
【先行技術文献】
【特許文献】
【０００３】
【特許文献１】特開平１１−３２４２５９号公報
【発明の概要】
【発明が解決しようとする課題】
【０００４】
上記従来の太陽電池モジュールの固定構造は、枠体の外側に係合溝部を有するものが対象であり、係合溝部を有しない枠体には、カバーを係合させることができないので、適用することができない。カバー下で見えにくく、かつ狭い隣接モジュール間の空間に手を差し入れて、ボルト、ナット及びカバーの結合作業を行わなければならないので、時間のかかる難作業となる。また、ナットが上方へ突出するので外観を損ねる難点がある。
したがって、この出願に係る発明は、上記のようなボルト、ナット及びカバーの結合作業を不要とし、表側からの施工のみで容易に太陽電池モジュールを固定できる、汎用性の高い新規の固定装置を提供することを目的としている。
【課題を解決するための手段】
【０００５】
以下、添付図面の符号を参照して説明するが、本発明はこれに限定されるものではない。
上記課題を解決するための、この出願に係る発明の太陽電池モジュールの固定装置は、下部に内向きフランジ４２ｃを有する枠体４２に四囲を囲まれた矩形板状の枠付き太陽電池モジュール４０を支持部材上に複数並べて固定するものであり、支持部材上に固定されるＣ形鋼材からなる支持レール１と、支持レール１の溝１ｂ内に固定されるベース部材３と、支持レール１の溝１ｂに沿って待機位置とセット位置との間を往復移動可能にベース部材３上に支持される押さえ部材４と、ベース部材３と押さえ部材４との間に介設されるばね５とを具備する。ベース部材３は、垂直の固定ボルト７と、これに螺合するナット８とを具備する。固定ボルト７は、支持レール１上に隣接配置される２つの太陽電池モジュール４０の相互間隔内に配置されるように位置設定される。押さえ部材４は、スライド板部１０と、第１及び第２の一対の係合部１１，１２とを具備する。スライド板部１０は、支持レール１の溝１ｂ内にあって、ベース部材３に摺動自在に重なるように配置され、固定ボルト７を貫通させる長孔１０ａを有し、長孔１０ａの範囲で支持レール１に対して相対移動自在である。係合部１１，１２は、スライド板部１０の可動方向の両端部に設けられ、支持レール１の溝１ｂ外に延出して太陽電池モジュール４０の内向きフランジ４２ｃに係合可能である。係合部１１，１２は、それぞれスライド板部１０から起立して支持レール１の溝１ｂ外へ延出する起立板部１１ａ，１２ａと、この起立板部の上端からスライド板部１０と平行に、相対向する方向に延出する押圧片１１ｂ，１２ｂとを具備する。押圧片１１ｂ，１２ｂは、ナット８の締め付けにより支持レールのリップ１ａとの間で太陽電池モジュールの内向きフランジ４２ｃを挟んで固定する。ばね５は、押さえ部材４を弾性的に押し上げることにより、リップ１ａと押圧片１１ｂ，１２ｂとの間を開いた解放位置に保持しつつ、押さえ部材４を待機位置に保持する。押さえ部材４が待機位置にある状態で、一方の係合部１１ｂ上に被さるように支持レール１上の所定位置に置かれる太陽電池モジュール４０Ａに対し、押さえ部材４をセット位置に移動させるとき、一方の係合部１１の押圧片１１ｂが第１の太陽電池モジュール４０Ａの内向きフランジ４２ｃ上に配置される。一方の係合部１１の押圧片１１ｂが太陽電池モジュール４０Ａの内向きフランジ４２ｃ上に配置された状態で、他方の係合部１２上に被さるように支持レール１上の所定位置に別の太陽電池モジュール４０Ｂを載置して当該太陽電池モジュール４０Ｂの内向きフランジ４２ｃを他方の係合部１２の押圧片１２ｂ下に配置した状態で、２つの太陽電池モジュール４０Ａ，４０Ｂの相互間隔内の固定ボルト７とナット８を締め付けて太陽電池モジュール４０Ａ，４０Ｂを支持レール１上に固定する。
【発明の効果】
【０００６】
この出願に係る発明の固定装置によれば、表側からの施工のみで、太陽電池モジュールの内向きフランジに部材を係合させて、容易に、短時間で太陽電池モジュールを支持部材に固定できる。
【図面の簡単な説明】
【０００７】
【図１】本発明の実施形態に係る太陽電池モジュールの固定装置の分解斜視図である。
【図２】図１の固定装置の斜視図である。
【図３】図１の固定装置の一部を切り欠いた平面図であり、（Ａ）は押さえ部材が待機位置にある状態、（Ｂ）は押さえ部材がセット位置にある状態を示す。
【図４】図１の固定装置の一部を切り欠いた正面図であり、（Ａ）は押さえ部材が待機位置にある状態、（Ｂ）は押さえ部材がセット位置にある状態を示す。
【図５】図１の固定装置の一部を切り欠いた側面図であり、（Ａ）は押さえ部材が待機位置にある状態、（Ｂ）は押さえ部材がセット位置にある状態を示す。
【図６】太陽電池モジュールの固定状態の平面図である。
【図７】太陽電池モジュールの固定作業の工程を順を追って示す平面図である。
【図８】太陽電池モジュールの固定作業の工程を順を追って示す平面図である。
【図９】太陽電池モジュールの固定作業の工程を順を追って示す平面図である。
【図１０】太陽電池モジュールの固定作業の工程を順を追って示す平面図である。
【発明を実施するための形態】
【０００８】
図面を参照してこの発明の実施の形態を説明する。
本発明に係る太陽電池モジュールの固定装置が適用される太陽電池モジュール４０は、図２、図6に示すように、複数の太陽電池セルを搭載した矩形板状の本体４１と、それの四囲を囲む枠体４２とを具備する。枠体４２は、上部の内側に、本体４１の外周縁部を挟持する上下一対の挟持片４２ａ、４２ｂを有すると共に、下部に内向きフランジ４２ｃを具備する。ここで「上」とは、太陽電池モジュール本体４１の受光面側、「下」とはその反対側、すなわち屋根などの支持部材側を意味する。
太陽電池モジュールの固定装置は、太陽電池モジュール４０を支持部材Ｓ上に複数並べて固定するためのものであり、支持レール１と、この支持レール１に装着される固定金具組立体２とを具備する。図6に示すように、太陽電池モジュール４０は、それぞれ４つの固定金具組立体２により、２本の支持レール１上に固定される。
図１，２に示すように、支持レール１は、Ｃ形鋼材からなり、リップ１ａを上に向けて、支持部材Ｓ(図４〜５)上に複数が平行に、相互間隔を置いて固定される。図６に支持レール１を２本だけ示した。太陽電池モジュール４０の内向きフランジ４２ｃが、支持レール１のリップ１ａ上に載置される。
固定金具組立体２は、ベース部材３と、押さえ部材４と、板ばね５とを具備し、太陽電池モジュールの対向する枠体（横枠体）４２に対応する位置において、支持レール１の溝４内に装着される。
ベース部材３は、支持レールの溝１ｂ内においてウェブ１ｃ上に固定される本体
６と、ウェブ１ｃに対して垂直に起立するように固定される固定ボルト７と、これに螺合するナット８とを具備する。
ベース部材本体６は、底板部６ａと側板部６ｂとを具備する。底板部６ａは、支持レールのウェブ１ｃとの間で固定ボルト７の頭部を回転不可能に保持するボルト保持部６ｃと、固定ボルト７の軸を上方へ突出させるボルト孔６ｄを有する。側板部６ｂは、底板部６ａの両縁から直角に屈曲して、支持レールのフランジ１ｄの内側面に沿い、ねじ孔６ｅを有する。ベース部材３は、フランジ１ｄのボルト孔１ｅを貫通してねじ孔６ｅに螺合されるボルト９で支持レール１の所定位置に固定される。
押さえ部材４は、スライド板部１０と、これと一体の一対の係合部１１，１２とを具備し、支持レールの溝１ｂ内にあって、ベース部材３上に板ばね５を介して配置される。
スライド板部１０は、ボルト７を貫通させる長孔１０ａを有し、ベース部材３の底板部６ｃ上に重なる平板状であり、長孔１０ａの範囲で、待機位置（図３Ａ，図４Ａ）とセット位置（図３Ｂ，図４Ｂ）との間を支持レール１の延長方向に移動自在である。
係合部１１，１２は、スライド板部５の可動方向の両端部に位置して、支持レール１の溝外に延出し、太陽電池モジュール４０の内向きフランジ４２ｃに係合可能である。すなわち、係合部１１，１２は、それぞれスライド板部１０から直角に起立して支持レール１の溝外へ延出する起立板部１１ａ，１２ａと、この起立板部の上端からスライド板部１０と平行に、相対向する方向に延出する押圧片１１ｂ，１２ｂとを具備する。
しかして、押さえ部材４は、セット位置（図３Ｂ，図４Ｂ）において、固定ボルト７に螺合されるナット８の締め付けにより、押圧片１１ｂ，１２ｂと支持レールのリップ１ａとの間で、太陽電池モジュールの内向きフランジ４２ｃを挟んで固定する。
板ばね５は、ベース部材３と押さえ部材４との間に介設され、図３Ａ，図４Ａに示すように、押さえ部材４を弾性的に押し上げて、リップ１ｃと押圧片１１ｂ，１２ｂとの間を開いた解放位置に保持する。
すなわち、図１に示すように、板ばね５は、平板状の基板部５ａと、それの両端側に立ち上がる脚部５ｃとを有する。基板部５ａは、ベース部材３のボルト孔６ｄに対応して、ボルト７を貫通させるボルト孔５ｂを有する。脚部５ｃは、押さえ部材４を摺動自在に押し上げる。したがって、押さえ部材４は、ナット８が緩められた解放状態（図４Ａ，図５）において、脚部５ｃ上を待機位置（図３Ａ，図４Ａ）からセット位置（図３Ｂ，図４Ｂ）へ摺動し、またセット位置（図３Ｂ，図４Ｂ）において、ナット８の締め付けにより、板ばね５を圧縮して押圧片１１ｂとリップ１ｃとの間で太陽電池モジュールの内向きフランジ４２ｃを挟持することができる。
太陽電池モジュール４０は、この固定装置を用いて、図６に示すように支持レール１上に固定される。２つの太陽電池モジュール４０Ａ、４０Ｂを屋根等の支持部材上に取り付けるまでの工程を図７ないし図１０について説明する。なお、これらの図において、太陽電池モジュール４０は、その固定構造が明らかになるように、枠体４２のみで示している。
まず、最初の太陽電池モジュール４０Ａの取り付けについて、図７に示すように、４つの固定金具組立体２を一対の支持レール１上の所定位置に固定する。いずれの固定金具組立体２についても、ナット８が弛められ、押さえ部材４が解放位置（図４Ｂ）にある。図７において上方の固定金具組立体２Ａの押さえ部材４はセット位置に配置され、下方の固定金具組立体２Ｂの押さえ部材４は待機位置に配置される。
この状態で、図８に示すように、上方の固定金具組立体２Ａの係合部１２ｂ上に上縁部が被さるように、第１の太陽電池モジュール４０Ａをレール１上へ載置して、これを下方へスライドさせると、上方の枠体の内向きフランジ４２ｃが押圧片１２ｂとリップ１ａとの間に進入して係合部１２にくわえ込まれる。この状態で、ナット８を締め付けて、押圧片１２ｂとリップ１ａとの間に上枠の内向きフランジ４２ｃを挟持する。これで第１の太陽電池モジュール４０Ａの上枠が固定される（図３Ｂ、図４Ｂの状態）。
同時に、第１の太陽電池モジュール４０Ａの下縁部が、下方の固定金具組立体２Ｂの係合部１１上に被さるように、支持レール１上に置かれる。この状態で、固定金具組立体２Ｂの押さえ部材４の一部（図８における下方部分）は、太陽電池モジュール４０Ａの下方の枠体４２の外側（下方）に延出しており、押さえ部材４の係合部１１ｂは内向きフランジ４２ｃに係合していない。ボルト７、ナット８も太陽電池モジュール４０Ａの下方の枠体４２の外側にある（図３Ａ、図４Ａの状態）。
次いで、枠体４２の外側に延出している下方の固定金具組立体２Ｂの押さえ部材４を下方へ引いてスライドさせると、図９の状態となり、下方の枠体の内向きフランジ４２ｃに係合部１２が係合する。この状態で、ナット８を締め付けて、フランジ４２ｃを押圧片１２ｂとリップ１ａとの間に挟持する。これで第１の太陽電池モジュール４０Ａの固定が完了する。
次いで、図１０に示すように、第２の太陽電池モジュール４０Ｂの上縁部を下方の固定金具組立体２Ｂの係合部１２上に被さるように、支持レール１上に置き、順次上枠から下枠へと、第１の太陽電池モジュール４０Ａと同様に支持レール上に固定する。この工程の繰り返しで、次々に太陽電池モジュール４０を固定していく。以上すべての太陽電池モジュール４０の固定作業を上方から効率よく行うことができる。図６に示すように、固定ボルト７は、常に、支持レール１上に隣接配置される２つの太陽電池モジュール４０の相互間隔内に配置されるから、ナット８の締め付け操作は、この間隔の上方から難なく行うことができる。
なお、支持レール１は、個々の固定金具組立体２に対応する長さの短尺のものを、１枚の太陽電池モジュール４０について４つずつ、支持部材上に固定する形式でもよい。
【符号の説明】
【０００９】
１    支持レール
１ａ  リップ
１ｂ  溝
１ｃ  ウェブ
１ｄ  フランジ
１ｅ  ボルト孔
２    固定金具組立体
３    ベース部材
４    押さえ部材
５    板ばね
５ａ  基板部
５ｂ  ボルト孔
５ｃ  脚部
６    ベース部材本体
６ａ  底板部
６ｂ  側板部
６ｃ  保持部
６ｄ  ボルト孔
６ｅ  ねじ孔
７    固定ボルト
８    ナット
９    ボルト
１０  スライド板部
１０ａ  長孔
１１  第１の係合部
１１ａ  起立板部
１１ｂ  押圧片
１２  第２の係合部
１２ａ  起立板部
１２ｂ  押圧片
【図１】
0005357229.tif 000002
【図２】
0005357229.tif 000003
【図３】
0005357229.tif 000004
【図４】
0005357229.tif 000005
【図５】
0005357229.tif 000006
【図６】
0005357229.tif 000007
【図７】
0005357229.tif 000008
【図８】
0005357229.tif 000009
【図９】
0005357229.tif 000010
【図１０】
0005357229.tif 000011